(57)【要約】      （修正有）【課題】特にラジコン飛行機のスピンナーのプロペラの当たる部分の位置だしでの削りすぎを防止する。【解決手段】プロペラを部材センター出し機の上に載せてアーム１の先端でなぞればアーム２に取り付けた原寸ゲージ１２がベース固定機の上のスピンナーにスプリングの作用により密着し、位置だしができる。又、主翼ガイドに乗せた主翼をアーム１の先端でなぞればリブの形状がアーム２に取り付けた原寸ゲージ１２を移動式写壁に張り付けた用紙又は木材に写し出せる。【選択図】図１
2005170022.tif 000002
【特許請求の範囲】
【請求項１】
アームの先端部を部材にそつて動かせば筆器具取付機に取り付けたペンが円すい形のベースにブーム３内部のスプリングによつて密着され円すい形のベース上に模写図を写し出せるようにした円すい形写影機。
【発明の詳細な説明】
【技術分野】
【０００１】この発明は特に、ラジコン飛行機のスピンナーのプロペラの当たる位置だしを簡単に出きる物。【０００２】又主翼が破損したときに片側の主翼があれば、簡単にリブが写し出せる物。
【背景技術】例えばスピンナー及びプロペラに関すれば、スピンナーは円すい形なので、プロペラを合わせながらけずつて現物合わせで位置を出していた。
【発明が解決しようとする課題】
【０００４】このような、スピンナーの位置だしでの、削りすぎの防止。
【０００５】又、主翼の修理を容易に出きるようにする事。
【課題を解決するための手段】
【０００６】例えば、プロペラを部材センター出し機の上に載せてアーム１の先端でなぞればアーム２に取り付けた１２原寸ゲージがベース固定機の上のスピンナーにスプリングの作用により、密着し位置が出せる事。
【０００７】又主翼ガイドに乗せた主翼をアーム１の先端でなぞればリブの形状がアーム２に取り付けた１２原寸ゲージが移動式写壁に張り付けた用紙又は木材に写し出せる事。
【発明の効果】
【０００８】この円すい形写影機を使えばスピンナーに使用するプロペラの形状が書き出されるので位置出しがスムーズになる事。
【０００９】又主翼のリブの形状が写し出せるので修理がスムーズになる事。
【発明を字施するための最良の形態】
【００１０】まず図４部材センター出し機の上にプロペラを乗せ１６プロペラセンター出しナツトを閉め付けセンターを出す。
【００１１】次に図５ベース固定機の上にスピンナーを乗せ１９固定アームを下げ１８センター出しカツプをスピンナーにあて１７回転体を回しながらスピンナーのセンターを出し２０固定ブームに１９固定アームをネジで固定します。又１７回転体の上面には図２、２枚３枚４枚用の印が有りプロペラの枚数により２１ベースセンター位置を基本にして印を付けて２３ロツクピンで１７回転体が回らないように固定する。
【００１２】図１の１０収縮ブームに取り付けた１２原寸ゲージをベース固定機の図２ベースセンター位置に合わせアーム１の先の端がプロペラの羽根の付け根のセンターに来るようにする又このとき図６の２９プロペラセンターゲージを使えばノギスなどで計りやすい位置がでたら１６センター出しナツトを締め付け固定する又下側の１６センターだしナツトはスピンナーのバツクプレートを使用するときの為の物である。
【００１３】又図３ベース固定機の回転体上側にあるａ地点に１２原寸ゲージを当て筆器具を図７の１３調整ロツトのｃ地点の角度調整を変えながら筆器具を１２原寸ゲージの指している位置に合わせる。
【００１４】これで２スライドテーブル及び４上下移動体を動かしプロペラをなぞりスピンナーに写し出ます、又２３ロツクピンを外し回転させ［００１１］に説明したようにスピンナーに書いた印を図２の２１ベースセンター位置に合わせ固定すればそのまま写し出せます。
【００１５】又部材センター出し機、ベース固定機及び２０固定ブームを取り外し図９の３０主翼固定機にある２６主翼固定サポートを２７スライドテーブル２を動かし主翼を挟み２８固定ネジで止めます。その時３０主翼ガイドに主翼後縁を入れます。
【００１６】図９移動式写壁に紙又和は木材を２２乗せ台に付け７移動式写壁を移動させ１４筆器具取付機の筆器具が軽く当たる用にし取付ネジで固定します。
【００１７】８アーム１の先端を主翼にそつてなぞればリブの形状が７移動式スクリーンに取り付けた紙又は木材にに写し出される又木材に凹凸があつても１０収縮ブーム内部のスプリングにより密着し確実に写し出せる物である。
【００１８】図１高さａ＝ｂ。７の移動式写壁は左右に移動する物１９固定アームは上下にスライドし１８センター出しカツプをベースに固定する物又２０固定ブームは取付ボルトにより脱着が出きる物。
【００１９】図２の回転体の上面には２，３，４枚プロペラの位置がありその枚数により回転させ２１ベースセンター位置に合わせて２３ロツクピンで固定する。
【００２０】１６センター出しナツトはコマ状になつており絞めればセンターが出る物である。
【００２１】図３の２９プロペラセンターゲージはｄ−ｅの位置を計りやすくするための物又部材センター出し機とベース固定機はセンターを一直線上で５テーブルレールと直角になつている物。
【００２２】図３点線の○部分はプロペラのバツクプレートの位置でありｄ−ｅへ２スライドテーブル及び４上下移動体を使いなぞれば、スピンナー側のｂ−ｃに写し出せる図である。
【００２３】図４の１５センターボルトは部材センター出し機に取付ボルトで付けてあり１６センター出しナツトは絞め込めばプロペラのセンター出しが出きる物、又下側の１６センター出しナツトはプロペラのバツクプレートを使用する時に使う物である。
【００２４】図５回転体はスピンナーを載せ１８センター出しカツプと共に回転をしてセンターを出す物である、１９固定アームは上下に移動しスピンナーを固定する物である、２０固定ブームは移動式写壁にボルトで取り付けてあるものである。
【００２５】図６の固定ブームには１９固定アームを取付又上下移動する物である１８センター出しカツプは取付ネジがカツプの内側より奥になつている又回転をする。
【００２６】図７−２の１０収縮ブームはスプリングにより収縮可能である。
【００２７】収縮ブーム内側１には３０回転防止及び抜け止めピンが有り収縮ブーム外側２には３０抜け止めピンがはまる溝があり回転及び抜け止め及び収縮運動の働きをするまた収縮ブーム２の中にスプリングが入つている。
【００２８】１４筆器具取付機は市販の筆器具を部材で挟み込みネジで止める物又ｃ地点で角度を変えられネジで止める物そして筆器具は１４筆器具取付機の形状により○い物がより好ましい。
【００２９】図８主翼固定機の２５主翼ガイドは主翼の後縁を載せる為の物で２６主翼固定サポートは２７主翼スライドテーブルにより主翼を挟み込み２８固定ネジで固定する物である。
【解決手段】
【００３０】以上の用に円すい形写影機を使えば現物合わせで削る必要もなく、スピンナーにプロペラの形状を写せる用になり作業がスムーズになる事又プロペラの形状上により可能な作業である円すい形写影機。
【００３１】又主翼を破損した場合片側の主翼があれば主翼のリブ状が写せるので修理がスムーズに行う事が出来る円すい形写影機。
【００３２】使い方次第で様々な形状が写し出せる円すい形写影機である。
【図面の簡単な説明】
【図１】円すい形写影機の側面図である。
【図２】プロペラのセンター及び回転体上側の図である。
【図３】実施の動きである。
【図４】部材センター出し機の詳細図である。
【図５】ベース固定機の詳細図である。
【図６】固定ブーム及び固定アームの詳細図である。
【図７】アーム１及びアーム２の詳細図である。
【図８】主翼固定機の詳細図である。
【図９】部材センター出し機及びベース固定機を取り外した図である。
【図１】
2005170022.tif 000003
【図２】
2005170022.tif 000004
【図３】
2005170022.tif 000005
【図４】
2005170022.tif 000006
【図５】
2005170022.tif 000007
【図６】
2005170022.tif 000008
【図７】
2005170022.tif 000009
【図８】
2005170022.tif 000010
【図９】
2005170022.tif 000011
【手続補正書】
【提出日】平成16年6月2日(2004.6.2)
【手続補正１】
【補正対象書類名】明細書
【補正対象項目名】全文
【補正方法】変更
【補正の内容】
【発明の詳細な説明】
【技術分野】
【０００１】この発明は特に、ラジコン飛行機のスピンナーのプロペラの当たる位置だしを簡単に出きる物。【０００２】又主翼が破損したときに片側の主翼があれば、簡単にリブが写し出せる物。
【背景技術】例えばスピンナー及びプロペラに関すれば、スピンナーは円すい形なので、プロペラを合わせながらけずつて現物合わせで位置を出していた。【０００４】
【発明が解決しようとする課題】
このような、スピンナーの位置だしでの、削りすぎの防止。
【０００５】又、主翼の修理を容易に出きるようにする事。
【０００６】【課題を解決するための手段］
例えば、プロペラを部材センター出し機の上に載せてアーム１の先端でなぞればアーム２に取り付けた１２原寸ゲージがベース固定機の上のスピンナーにスプリングの作用により、密着し位置が出せる事。
【０００７】又主翼ガイドに乗せた主翼をアーム１の先端でなぞればリブの形状がアーム２に取り付けた１２原寸ゲージが移動式写壁に張り付けた用紙又は木材に写し出せる事。
【０００８】
【発明の効果】
この円すい形写影機を使えばスピンナーに使用するプロペラの形状が書き出されるので位置出しがスムーズになる事。
【０００９】又主翼のリブの形状が写し出せるので修理がスムーズになる事。
【発明を字施するための最良の形態】
【００１０】まず図１、３０部材センター出し機の上に３１プロペラを乗せ１６プロペラセンター出しナツトを締め付けセンターを出す。
【００１１】次に図１、３２ベース固定機の上に３３スピンナーを乗せ１９固定アームを下げ１８センター出しカツプを３３スピンナーにあて１７回転体を回しながら３３スピンナーのセンターを出し２０固定ブームに１９固定アームを３４ネジで固定します。又１７回転体の上面には図２、２枚３枚４枚用の印が有りプロペラの枚数により２１ベースセンター位置を基本にして３３スピンナーに印を付けて２３ロツクピンで１７回転体が回らないように固定する。
【００１２】図１の１０収縮ブームに取り付けた１２原寸ゲージを３２ベース固定機の図２、２１ベースセンター位置に合わせ８アーム１の先の端が３１プロペラの羽根の付け根のセンターに来るようにする位置がでたら１６センター出しナツトを締め付け固定する又下側の１６センターだしナツトはスピンナーのバツクプレートを使用するときの為の物である。
【００１３】又図３、３２ベース固定機の１７回転体上側にある３３スピンナーのａ地点に１２原寸ゲージを当て１４筆器具を１３調整ロツトのＤ地点の角度調整を変えながら筆器具を１２原寸ゲージの指している位置に合わせる。
【００１４】これで２スライドテーブル及び４上下移動体を動かし３１プロペラをなぞり３３スピンナーに写し出ます、又２３ロツクピンを外し回転させ［００１１］に説明したように３３スピンナーに書いた印を図２の２１ベースセンター位置に合わせ固定すればそのまま写し出せます。
【００１５】又３０部材センター出し機、３２ベース固定機及び２０固定ブームを取り外し図４の５０主翼固定機にある２６主翼固定サポートを２７スライドテーブル２を動かし主翼を挟み２８固定ネジで止めます。その時５１主翼ガイドに主翼後縁を入れます。
【００１６】図５、７移動式写壁に紙又は木材を２２乗せ台に付け７移動式写壁を移動させ１４筆器具取付機の筆器具が軽く当たる用にし取付ネジで固定します。
【００１７】８アーム１の先端を主翼にそつてなぞればリブの形状が７移動式スクリーンに取り付けた紙又は木材にに写し出される又木材に凹凸があつても１０収縮ブーム内部のスプリングにより密着し確実に写し出せる物である。
【００１８】図１高さａ＝ｂ。７の移動式写壁は左右に移動する物１９固定アームは上下にスライドし１８センター出しカツプをベースに固定する物又２０固定ブームは取付ボルトにより脱着が出きる物。
【００１９】図２の回転体の上面には２，３，４枚プロペラの位置がありその枚数により回転させ２１ベースセンター位置に合わせて２３ロツクピンで固定する。
【００２０】１６センター出しナツトはコマ状になつており絞めればセンターが出る物である。
【００２１】図３の２９プロペラセンターゲージはｄ−ｅの位置を計りやすくするための物又３０部材センター出し機と３２ベース固定機はセンターを一直線上で５テーブルレールと直角になつている物。
【００２２】図３、５２点線の○部分はプロペラのバツクプレートの位置でありｄ−ｅへ２スライドテーブル及び４上下移動体を使いなぞれば、スピンナー側のｂ−ｃに写し出せる図である。
【００２３】図１の１５センターボルトは部材センター出し機に取付ボルトで付けてあり１６センター出しナツトは絞め込めばプロペラのセンター出しが出きる物、又下側の１６センター出しナツトはプロペラのバツクプレートを使用する時に使う物である。
【００２４】図１、１７回転体はスピンナーを載せ１８センター出しカツプと共に回転をしてセンターを出す物である、１９固定アームは上下に移動しスピンナーを固定する物である、２０固定ブームは移動式写壁にボルトで取り付けてあるものである。
【００２５】図１、２０固定ブームは１９固定アームを取付又上下移動する物である１８センター出しカツプは取付ネジがカツプの内側より奥になつている又回転をする。
【００２６】図１の１０収縮ブームはスプリングにより収縮可能である。
【００２７】１４筆器具取付機は市販の筆器具を部材で挟み込みネジで止める物又ｃ地点で角度を変えられネジで止める物そして筆器具は１４筆器具取付機の形状により○い物がより好ましい。
【００２８】図４主翼固定機の２５主翼ガイドは主翼の後縁を載せる為の物で２６主翼固定サポートは２７主翼スライドテーブルにより主翼を挟み込み２８固定ネジで固定する物である。
【解決手段】
【００２９】以上の用に円すい形写影機を使えば現物合わせで削る必要もなく、スピンナーにプロペラの形状を写せる用になり作業がスムーズになる事又プロペラの形状上により可能な作業である円すい形写影機。
【００３０】又主翼を破損した場合片側の主翼があれば主翼のリブ状が写せるので修理がスムーズに行う事が出来る円すい形写影機。
【００３１】使い方次第で様々な形状が写し出せる円すい形写影機である。
【図面の簡単な説明】
【図１】円すい形写影機の側面図である。
【図２】プロペラのセンター及び回転体上側の図である。
【図３】実施の動きである。
【図４】主翼固定機の詳細図である。
【図５】部材センター出し機及びベース固定機を取り外した図である。
【手続補正２】
【補正対象書類名】図面
【補正対象項目名】全図
【補正方法】変更
【補正の内容】
【図１】
2005170022.tif 000012
【図２】
2005170022.tif 000013
【図３】
2005170022.tif 000014
【図４】
2005170022.tif 000015
【図５】
2005170022.tif 000016